(57)【要約】  天井扇風機（１）は、羽根（７）と、軸（ＡＸ）を中心に回転可能な回転子（５）を有するモータ（４）と、モータ（４）よりも、軸（ＡＸ）の方向のうち天井（２）へ向かう向きである第１の向きとは逆の第２の向きの側に配置されており、回転子（５）と羽根（７）とを連結する連結部品（８）とを備える。連結部品（８）は、回転子（５）に固定されている第１部位（１１）と、第１部位（１１）よりも、軸（ＡＸ）の方向に垂直な方向のうち軸（ＡＸ）から離れる向きの側に位置しており、羽根（７）が固定されている第２部位（１２）と、を有する。第２部位（１２）は、第１部位（１１）よりも第２の向きの側に位置している。
2019138482.tif 000002
【特許請求の範囲】
【請求項１】
天井から吊り下げられて設置される天井扇風機であって、
羽根と、
軸を中心に回転可能な回転子を有するモータと、
前記モータよりも、前記軸の方向のうち前記天井へ向かう向きである第１の向きとは逆の第２の向きの側に配置されており、前記回転子と前記羽根とを連結する連結部品と、
を備え、
前記連結部品は、前記回転子に固定されている第１部位と、前記第１部位よりも、前記軸の方向に垂直な方向のうち前記軸から離れる向きの側に位置しており、前記羽根が固定されている第２部位と、を有し、
前記第２部位は、前記第１部位よりも前記第２の向きの側に位置していることを特徴とする天井扇風機。
【請求項２】
前記モータへの電力供給を担う回路部品が実装された第１の回路基板を備え、
前記連結部品は、前記第１部位と前記第２部位との間において前記軸の方向に立てられている第３部位を有し、
前記第１の回路基板は、前記第３部位により囲われた空間に配置されていることを特徴とする請求項１に記載の天井扇風機。
【請求項３】
前記第３部位により囲われた空間において前記第１の回路基板を収納する収納ケースを備えることを特徴とする請求項２に記載の天井扇風機。
【請求項４】
前記天井扇風機の動作の制御を担う回路部品が実装された第２の回路基板を備え、
前記第２の回路基板は、前記連結部品よりも前記第２の向きの側に配置されていることを特徴とする請求項２または３に記載の天井扇風機。
【請求項５】
前記第２の回路基板には、発光体が実装されていることを特徴とする請求項４に記載の天井扇風機。
【請求項６】
前記第２の回路基板には、赤外線信号を受ける受光素子が実装されていることを特徴とする請求項４に記載の天井扇風機。
【請求項７】
前記第２の回路基板には、報知音を発生するブザーが実装されていることを特徴とする請求項４に記載の天井扇風機。
【請求項８】
前記第２の向きへ向けられ、意匠が施された意匠シートを備え、
前記意匠シートと前記羽根とは、前記天井から同じ距離の位置に配置されることを特徴とする請求項１から７のいずれか１つに記載の天井扇風機。
【発明の詳細な説明】
【技術分野】
【０００１】
本発明は、天井から吊り下げられて設置される天井扇風機に関する。
【背景技術】
【０００２】
天井扇風機は、室内の空調効率の向上のため、あるいは室内の装飾として、室内の天井から吊り下げられて設置される。特許文献１には、シャフトが貫かれている固定子を囲う回転子を有するいわゆる外転型のモータと、モータの回転子に固定されている羽根とを備える天井扇風機が開示されている。特許文献１の天井扇風機では、モータを制御する制御手段が収納された収納ケースがモータの下方側に設けられている。
【先行技術文献】
【特許文献】
【０００３】
【特許文献１】特許第４７９７５５３号公報
【発明の概要】
【発明が解決しようとする課題】
【０００４】
特許文献１の天井扇風機は、鉛直方向においてモータと同じ高さ位置に羽根が配置されていることで、モータの下方側に設けられている収納ケースの寸法の分、羽根の高さよりも下方へ突出している部分が生じることとなる。天井扇風機は、下方への突出が大きくなることで、室内の居住者に圧迫感を感じさせることがあり得る。天井扇風機の下方への突出が大きくなることで、天井扇風機の意匠性を悪化させることがあり得る。天井扇風機の下方への突出を抑えるために、モータと収納ケースとが天井に近づけられると、羽根と天井との間隔が短くなる。羽根と天井との間隔が短いほど、羽根の回転による気流の発生が天井面により阻害されることとなるため、天井扇風機の運転によって得られる風量が少なくなる。【０００５】
本発明は、上記に鑑みてなされたものであって、天井と羽根との間隔を確保しつつ天井からの突出を抑えることができる天井扇風機を得ることを目的とする。
【課題を解決するための手段】
【０００６】
上述した課題を解決し、目的を達成するために、本発明にかかる天井扇風機は、天井から吊り下げられて設置される。本発明にかかる天井扇風機は、羽根と、軸を中心に回転可能な回転子を有するモータと、モータよりも、軸の方向のうち天井へ向かう向きである第１の向きとは逆の第２の向きの側に配置されており、回転子と羽根とを連結する連結部品とを備える。連結部品は、回転子に固定されている第１部位と、第１部位よりも、軸の方向に垂直な方向のうち軸から離れる向きの側に位置しており、羽根が固定されている第２部位と、を有する。第２部位は、第１部位よりも第２の向きの側に位置している。
【発明の効果】
【０００７】
本発明にかかる天井扇風機は、天井と羽根との間隔を確保しつつ天井からの突出を抑えることができるという効果を奏する。
【図面の簡単な説明】
【０００８】
【図１】本発明の実施の形態１にかかる天井扇風機の要部断面図
【図２】実施の形態１にかかる天井扇風機の分解斜視図
【図３】実施の形態１にかかる天井扇風機が有する第１の回路基板および第２の回路基板の回路構成を示す図
【発明を実施するための形態】
【０００９】
以下に、本発明の実施の形態にかかる天井扇風機を図面に基づいて詳細に説明する。なお、この実施の形態によりこの発明が限定されるものではない。
【００１０】
実施の形態１．
図１は、本発明の実施の形態１にかかる天井扇風機１の要部断面図である。図２は、実施の形態１にかかる天井扇風機１の分解斜視図である。図１では、天井扇風機１のうち一部の構成部品の断面にはハッチングを付し、その他の構成部品の断面のハッチングを省略している。図１に示している構成部品には、図２において図示が省略されている構成部品が含まれている。
【００１１】
天井扇風機１は、天井２から吊り下げられて設置される。天井扇風機１は、回転子５と固定子６とを有するモータ４と、モータ４の中心を貫くシャフト３と、複数の羽根７とを備える。シャフト３には、中空のパイプ材が使用されている。シャフト３の上端は、天井２に取り付けられた吊下部９に固定されている。シャフト３は、天井扇風機１の全体を支持する。
【００１２】
モータ４は、固定子６を貫くシャフト３によって支持されている。モータ４は、固定子６を囲う回転子５が回転するいわゆる外転型のモータである。モータ４の回転子５は、軸ＡＸを中心に回転する。軸ＡＸは、回転子５の回転中心であって、シャフト３の中心線でもある軸とする。天井扇風機１は、軸ＡＸを鉛直方向に合わせて設置される。なお、軸ＡＸの方向のうち天井２へ向かう矢印Ａの向きは、上向きである第１の向きを表している。軸ＡＸの方向のうち矢印Ａとは逆の矢印Ｂの向きは、下向きである第２の向きを表す。
【００１３】
天井扇風機１は、回転子５と複数の羽根７とを連結する連結部品８を備える。連結部品８は、モータ４よりも下方に配置されている。連結部品８は、回転子５に固定されている第１部位１１と、複数の羽根７が固定されている第２部位１２と、軸ＡＸの方向に立てられて第１部位１１と第２部位１２とをつないでいる第３部位１３とを有する。第１部位１１は、連結部品８の上面をなす部位である。第２部位１２は、第１部位１１よりも、軸ＡＸの方向に垂直な方向のうち軸ＡＸから離れる向きの側に位置している。また、第２部位１２は、第１部位１１よりも下方に位置している。第２部位１２は、連結部品８の下面をなす部位である。第３部位１３は、連結部品８の側面である円筒面をなす部位である。第１部位１１と第３部位１３とは、円筒面を含むとともに下方が開放された箱体を構成している。かかる箱体の開放部分から円筒面の外側へ、第２部位１２がつば状に突出している。連結部品８の材料には、金属材料が使用されている。
【００１４】
第１部位１１は、円形をなす平板状の部位である。第１部位１１の平面の中心には、シャフト３が通される開口３８が設けられている。第３部位１３は、軸ＡＸに平行な円筒形状をなす部位である。第１部位１１は、第３部位１３の上端に繋げられている。第２部位１２は、第３部位１３の下端に繋げられている。第２部位１２は、第３部位１３の下端から、第３部位１３の円筒形状の中心から離れる向きへ広げられた平板状の部位である。複数の羽根７は、第２部位１２の外縁において等間隔をなして配置されている。図１および図２には２つの羽根７を示している。天井扇風機１に設けられる羽根７の数は、２つより多くても良い。
【００１５】
第１部位１１は、ネジ３１により回転子５の下面に固定されている。各羽根７は、ネジ３２により第２部位１２の上面に固定されている。連結部品８および複数の羽根７は、モータ４の駆動により、回転子５とともに回転する。
【００１６】
天井扇風機１は、モータ４への電力供給を担う回路部品が実装された第１の回路基板１４と、天井扇風機１の動作の制御を担う回路部品が実装された第２の回路基板１５とを備える。第２の回路基板１５には、発光体である発光ダイオード２１と、後述するリモートコントローラからの赤外線信号を受ける受光素子２２と、報知音を発生するブザー２３とが搭載されている。第１の回路基板１４に実装されている回路部品と第２の回路基板１５に実装されている回路部品とについては後述する。
【００１７】
第１の回路基板１４は、収納ケース１６に収納されている。収納ケース１６の形状は、連結部品８の形状を縮小させた形状に近い形状をなしている。連結部品８と収納ケース１６とは、互いに間隔をなして配置されている。これにより、連結部品８は、収納ケース１６へ接触せずに回転する。蓋１７は、収納ケース１６を下方から塞ぐ。収納ケース１６の材料と蓋１７の材料とには、耐火性を備えた材料である金属材料が使用されている。第１の回路基板１４は、蓋１７のうち収納ケース１６の内部側の面に立てられた突起３５の上に載せられて、ネジ３４により突起３５に固定されている。収納ケース１６と蓋１７とは、ネジ３３により、後述する収納ケース１８の上面に固定されている。第１の回路基板１４は、第３部位１３により囲われた空間にて、収納ケース１６に収納された状態で配置されている。なお、第１の回路基板１４は、突起３５の上に載せられる以外に、収納ケース１６の内面に取り付けられても良い。
【００１８】
第１の回路基板１４には、天井２からシャフト３の内部を通されて収納ケース１６の内部にまで延ばされている交流電源線２７が接続されている。モータ４には、第１の回路基板１４からシャフト３の内部を通されたモータ接続線２６が接続されている。
【００１９】
収納ケース１６の上面には、シャフト３の下端が嵌め込まれる嵌め込み部２０が設けられている。シャフト３の下端が嵌め込み部２０へ嵌め込まれて、収納ケース１６はシャフト３に固定されている。収納ケース１６がシャフト３に固定されることにより、シャフト３は、収納ケース１６と、収納ケース１６に直接あるいは間接的に固定されている構成部品とを支持している。
【００２０】
第２の回路基板１５は、収納ケース１８に収納されている。第２の回路基板１５のうち、発光ダイオード２１と、受光素子２２と、ブザー２３と、回路部品とが実装されている面は、下方へ向けられている。収納ケース１８の形状は、上記の収納ケース１６と蓋１７とを合わせた形状を、鉛直方向の寸法を短くするとともに水平方向の寸法を長くするように変形させたような形状をなしている。収納ケース１８の材料には、樹脂材料が使用されている。第２の回路基板１５は、収納ケース１８の上部内面から下方へ立てられた突起３７に下方から当てられて、ネジ３６により突起３７に固定されている。このように、第２の回路基板１５は、第１の回路基板１４とは異なり、第３部位１３により囲われた空間以外の位置に配置されている。
【００２１】
収納ケース１８の下面部には、発光ダイオード２１からの光を透過させる窓２４と、リモートコントローラからの赤外線を透過させる窓２５とが設けられている。窓２４，２５には、透明材料または半透明材料が埋め込まれている。なお、収納ケース１８の下面部の全体が、透明材料または半透明材料の板であっても良い。収納ケース１８の下面部には、意匠シート１９が貼付されている。意匠シート１９のうち下方へ向けられる面には、印刷等による意匠が施されている。意匠シート１９は、収納ケース１８の下面部全体を覆う。意匠シート１９のうち発光ダイオード２１および窓２４の直下の位置には、発光ダイオード２１からの光を透過させる窓２４Ａが設けられている。窓２４Ａは、意匠が施された面のうち透明または半透明とされた部分である。意匠シート１９のうち受光素子２２および窓２５の直下の位置には、リモートコントローラからの赤外線を透過させる窓２５Ａが設けられている。窓２５Ａには、赤外線透過材料が印刷されている。
【００２２】
意匠シート１９と複数の羽根７とは、天井２から同じ距離の位置に配置される。言い換えると、鉛直方向における意匠シート１９の位置と、鉛直方向における複数の羽根７の位置とが同じとされている。
【００２３】
次に、第１の回路基板１４に実装されている回路部品と第２の回路基板１５に実装されている回路部品とについて説明する。図３は、実施の形態１にかかる天井扇風機１が有する第１の回路基板１４および第２の回路基板１５の回路構成を示す図である。
【００２４】
第１の回路基板１４には、商用交流電源４１とモータ４とが接続されている。第１の回路基板１４には、直流電源生成回路５１と、制御用直流電源５２と、コンデンサ５３と、トライアック５４と、抵抗５５と、起動用コンデンサ５６とが実装されている。直流電源生成回路５１と、制御用直流電源５２と、コンデンサ５３と、トライアック５４と、抵抗５５と、起動用コンデンサ５６とは、商用交流電源４１からモータ４への電力供給を担う回路部品である。
【００２５】
コンデンサ５３と、トライアック５４と、抵抗５５とは、商用交流電源４１とモータ４との間に直列に接続されている。コンデンサ５３Ａと、トライアック５４Ａと、抵抗５５Ａとは、直列に接続されている。コンデンサ５３Ｂと、トライアック５４Ｂと、抵抗５５Ｂとは、直列に接続されている。トライアック５４Ｃと、抵抗５５Ｃとは、直列に接続されている。コンデンサ５３Ａとコンデンサ５３Ｂとは、互いに容量が異なるコンデンサ５３である。コンデンサ５３は、コンデンサ５３Ａ，５３Ｂの各々を区別せずに称したものとする。トライアック５４は、トライアック５４Ａ，５４Ｂ，５４Ｃの各々を区別せずに称したものとする。抵抗５５は、抵抗５５Ａ，５５Ｂ，５５Ｃの各々を区別せずに称したものとする。
【００２６】
商用交流電源４１の電圧は、モータ４のインピーダンスとコンデンサ５３のインピーダンスとで分圧されてモータ４に印加される。モータ４にコンデンサ５３Ａが接続された状態と、モータ４にコンデンサ５３Ｂが接続された状態と、モータ４にコンデンサ５３Ａ，５３Ｂが接続されない状態との切り換えにより、モータ４に印加される電圧が変化する。天井扇風機１の風量は、モータ４に印加される電圧を変化させてモータ４の回転数を変化させることにより切り換えられる。
【００２７】
パワー半導体素子であるトライアック５４は、モータ４にコンデンサ５３Ａが接続された状態と、モータ４にコンデンサ５３Ｂが接続された状態と、モータ４にコンデンサ５３Ａ，５３Ｂが接続されない状態との切り換えを担う。トライアック５４Ａの導通により、コンデンサ５３Ａを含む回路がモータ４に接続される。トライアック５４Ｂの導通により、コンデンサ５３Ｂを含む回路がモータ４に接続される。トライアック５４Ｃの導通により、コンデンサ５３Ａ，５３Ｂを含まない回路がモータ４に接続される。
【００２８】
以下の説明では、コンデンサ５３Ｂの容量は、コンデンサ５３Ａの容量より小さいとする。コンデンサ５３の容量が小さいほど、コンデンサ５３のインピーダンスは大きくなる。トライアック５４Ｃが導通した場合、商用交流電源４１の電圧がモータ４に印加されることで、天井扇風機１の風量は、３段階の風量のうち最大の風量となる。トライアック５４Ａが導通した場合、商用交流電源４１の電圧は、コンデンサ５３Ａにて小さくされて、モータ４に印加される。天井扇風機１の風量は、最大の風量より１段階小さい風量となる。トライアック５４Ｂが導通した場合、商用交流電源４１の電圧は、コンデンサ５３Ｂにて小さくされて、モータ４に印加される。天井扇風機１の風量は、３段階の風量のうち最小の風量となる。抵抗５５は、風量が切り換えられる際における突入電流を抑制する役割を果たす。突入電流は、コンデンサ５３Ａ，５３Ｂに蓄積されている電荷により生じる。
【００２９】
起動用コンデンサ５６は、商用交流電源４１とモータ４の補助巻き線４４との間に接続されている。起動用コンデンサ５６は、第１の回路基板１４ではなくモータ４の中に設けられても良い。
【００３０】
直流電源生成回路５１は、１００Ｖ系または２００Ｖ系の商用交流電源４１の電圧から、数Ｖ程度の制御用直流電源５２の電圧を生成する。直流電源生成回路５１には、商用交流電源４１から供給される電力の変動と負荷電力の変動とに関わらず出力電圧の安定化を図り得るスイッチング回路が一般的に用いられる。制御用直流電源５２は、直流電源用電線４３により第２の回路基板１５の制御用直流電源６２へ電力を供給する。
【００３１】
第２の回路基板１５には、受光素子２２を含むセンサ部６３と、複数の発光ダイオード２１と、ブザー２３と、処理回路であるマイクロコンピュータ６１と、制御用直流電源６２とが実装されている。センサ部６３と、複数の発光ダイオード２１と、ブザー２３と、マイクロコンピュータ６１とは、制御用直流電源６２から供給される電力により動作する。マイクロコンピュータ６１は、天井扇風機１の動作の制御を担う回路部品である。図３に示す第２の回路基板１５には、３つの発光ダイオード２１が設けられている。第２の回路基板１５に設けられる発光ダイオード２１は、３つより少なくても良く、３つより多くても良い。発光ダイオード２１には、砲弾型の発光ダイオードと面実装型の発光ダイオードとのどちらが用いられても良い。
【００３２】
リモートコントローラ４０は、入力操作に応じた赤外線信号を送信する。センサ部６３は、リモートコントローラ４０からの赤外線信号を受光素子２２にて受信する。センサ部６３は、受信された赤外線信号に応じた信号をマイクロコンピュータ６１へ送る。マイクロコンピュータ６１は、センサ部６３からの信号を検出すると、複数の発光ダイオード２１とブザー２３とトライアック５４とへ制御信号を送る。
【００３３】
マイクロコンピュータ６１は、風量の切り換えの際、信号用電線４２を通じて、トライアック５４のゲート端子へゲートトリガ信号を送信する。トライアック５４Ａ，５４Ｂ，５４Ｃは、マイクロコンピュータ６１から受信したゲートトリガ信号にしたがって導通と遮断とを切り換える。ブザー２３は、リモートコントローラ４０への入力操作による指示を受け付けたことを示す制御信号をマイクロコンピュータ６１から受信した場合、報知音の１つである操作音を発生する。複数の発光ダイオード２１は、風量の切り換えについての制御信号をマイクロコンピュータ６１から受信した場合、切り換え後の風量のレベルにしたがって点灯と消灯とを切り換える。天井扇風機１は、複数の発光ダイオード２１のうち点灯する発光ダイオード２１を切り換えることにより、風量のレベルを表す弱、中、強といった運転モードを表示する。なお、第２の回路基板１５には、表示のための発光体のほかに、照明のための発光体が搭載されていても良い。
【００３４】
第１の回路基板１４に搭載されているコネクタ５７と第２の回路基板１５に搭載されているコネクタ６４とは、信号用電線４２と直流電源用電線４３とにより接続されている。信号用電線４２と直流電源用電線４３との電流容量は小さいため、信号用電線４２と直流電源用電線４３とには細い電線が使用される。信号用電線４２と直流電源用電線４３とは、纏められてコネクタ５７，６４に接続可能である。信号用電線４２と直流電源用電線４３とは、ゴムブッシュといった難燃性の材料に通されている。
【００３５】
実施の形態１によると、回転子５に固定されている第１部位１１よりも下方の第２部位１２に羽根７が固定されていることで、モータ４よりも下方の位置に羽根７が配置されている。第１部位１１よりも軸ＡＸから離れる向きの側に位置している第２部位１２から羽根７が延ばされていることで、連結部品８のうち第１部位１１の下方に、第３部位１３により囲われた空間が設けられている。天井扇風機１は、かかる空間に第１の回路基板１４を配置できる。天井扇風機１は、モータ４への電力供給を担う回路部品と天井扇風機１の動作の制御を担う回路部品とが羽根７より下方の収納ケースに配置される場合に比べて、羽根７から下方への突出を少なくすることができる。
【００３６】
モータ４よりも下方の位置に羽根７が配置されていることで、天井２と羽根７との間隔の確保が容易となる。天井扇風機１は、天井２と羽根７との間隔が確保されることで、天井２での気流の阻害を低減でき、風量の低下を抑えることができる。
【００３７】
天井扇風機１では、モータ４への電力供給を担う回路部品と天井扇風機１の動作の制御を担う回路部品とが第１の回路基板１４と第２の回路基板１５とに分けられて配置されている。コンデンサ５３およびパワー半導体素子といった、実装面からの高さ方向における大きなスペースを要する回路部品が搭載された第１の回路基板１４は、連結部品８内に収納される。連結部品８の下方に配置される第２の回路基板１５には、実装面からの高さ方向におけるスペースが小さくても済む回路部品が搭載されている。天井扇風機１は、連結部品８より下方の収納ケース１８を薄型にできることで、下方への突出を少なくすることができる。
【００３８】
また、天井扇風機１は、収納ケース１８を薄型にできることで、意匠シート１９と複数の羽根７とを、天井２から同じ距離の水平面上に配置できる。天井扇風機１は、羽根７の高さからの下方への突出を含まない構成として、複数の羽根７と同じ高さ位置に意匠シート１９を配置できることで、意匠性の向上を図ることができる。
【００３９】
天井扇風機１では、第１の回路基板１４と第２の回路基板１５とが、第３部位１３により囲われた空間内の収納ケース１６と連結部品８より下方の収納ケース１８とに分けられて収納される。第２の回路基板１５に搭載された回路部品は、モータ４の駆動時に第１の回路基板１４のパワー半導体素子から発せられる熱の影響を受けにくくなる。これにより、天井扇風機１は、マイクロコンピュータ６１、センサ部６３および発光ダイオード２１といった回路部品について、熱の影響による動作不良を低減でき、かつ長寿命化を図ることができる。天井扇風機１は、商用交流電源４１からモータ４への電力供給を担う回路部品を、耐火性を備えた材料からなる収納ケース１６と蓋１７とにより密閉できる。天井扇風機１は、直流電源生成回路５１から発せられる放射性ノイズを、金属材料からなる収納ケース１６と蓋１７とにより構成される密閉空間にとどめて、天井扇風機１の周囲への高周波ノイズの漏れを低減できる。
【００４０】
第２の回路基板１５では、下方へ向けての配置が求められる発光ダイオード２１と受光素子２２とブザー２３とが、下方へ向けられた実装面に搭載される。かかる実装面にマイクロコンピュータ６１が実装されることで、容易な配線作業により、マイクロコンピュータ６１と、発光ダイオード２１、受光素子２２およびブザー２３とが接続可能である。マイクロコンピュータ６１、発光ダイオード２１、受光素子２２およびブザー２３が収納ケース１８の中と外とに分けられて配置される場合と比較して、配線作業に要する手間を低減できる。
【００４１】
発光ダイオード２１に砲弾型の発光ダイオードが用いられる場合、実装面からの高さの調整が不要となり自動実装が可能となる。第２の回路基板１５には、自動実装に適したリード長にて発光ダイオード２１を実装できる。手作業による発光ダイオード２１の実装を要する場合と比較して、実装作業に要する手間と、実装後の修正作業に要する手間とを低減できる。第２の回路基板１５には、実装面からの高さ方向におけるスペースが小さくても済む回路部品が搭載されるため、発光ダイオード２１には面実装型の発光ダイオードが用いられても良い。発光ダイオード２１に面実装型の発光ダイオードが用いられる場合、発光ダイオード２１の位置調整作業が不要となる。
【００４２】
受光素子２２とブザー２３とは、天井扇風機１のうち下部に位置する収納ケース１８に配置される。天井扇風機１は、天井扇風機１の下部に受光素子２２が配置されることで、室内の広範囲から送信された赤外線信号を安定して受信できる。天井扇風機１は、天井扇風機１の下部にブザー２３が配置されることで、室内の広範囲の居住者に報知音を伝えることができる。
【００４３】
実施の形態１によると、天井扇風機１は、連結部品８のうち第１部位１１よりも第２の向きの側に位置する第２部位１２に羽根７が固定されていることで、天井２と羽根７との間隔を確保しつつ天井２からの突出を抑えることができるという効果を奏する。
【００４４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４５】
１  天井扇風機、２  天井、３  シャフト、４  モータ、５  回転子、６  固定子、７  羽根、８  連結部品、９  吊下部、１１  第１部位、１２  第２部位、１３  第３部位、１４  第１の回路基板、１５  第２の回路基板、１６，１８  収納ケース、１７  蓋、１９  意匠シート、２０  嵌め込み部、２１  発光ダイオード、２２  受光素子、２３  ブザー、２４，２４Ａ，２５，２５Ａ  窓、２６  モータ接続線、２７  交流電源線、３１，３２，３３，３４，３６  ネジ、３５，３７  突起、３８  開口、４０  リモートコントローラ、４１  商用交流電源、４２  信号用電線、４３  直流電源用電線、４４  補助巻き線、５１  直流電源生成回路、５２，６２  制御用直流電源、５３，５３Ａ，５３Ｂ  コンデンサ、５４，５４Ａ，５４Ｂ，５４Ｃ  トライアック、５５，５５Ａ，５５Ｂ，５５Ｃ  抵抗、５６  起動用コンデンサ、５７，６４  コネクタ、６１  マイクロコンピュータ、６３  センサ部、ＡＸ  軸。
【図１】
2019138482.tif 000003
【図２】
2019138482.tif 000004
【図３】
2019138482.tif 000005
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
天井から吊り下げられて設置される天井扇風機であって、
羽根と、
軸を中心に回転可能な回転子を有するモータと、
前記モータよりも、前記軸の方向のうち前記天井へ向かう向きである第１の向きとは逆の第２の向きの側に配置されており、前記回転子と前記羽根とを連結する連結部品と、
前記モータへの電力供給を担う回路部品が実装された第１の回路基板と、
を備え、
前記連結部品は、前記回転子に固定されている第１部位と、前記第１部位よりも前記軸に垂直な方向のうち前記軸から離れる向きの側において、前記第１部位よりも前記第２の向きの側に位置しており、前記羽根が固定されている第２部位と、前記第１部位と前記第２部位との間において前記軸の方向に立てられている第３部位と、を有し、
前記第１の回路基板は、前記第３部位により囲われた空間に配置されていることを特徴とする天井扇風機。
【請求項２】
前記第３部位により囲われた空間において前記第１の回路基板を収納する収納ケースを備えることを特徴とする請求項１に記載の天井扇風機。
【請求項３】
前記天井扇風機の動作の制御を担う回路部品が実装された第２の回路基板を備え、
前記第２の回路基板は、前記連結部品よりも前記第２の向きの側に配置されていることを特徴とする請求項１または２に記載の天井扇風機。
【請求項４】
前記第２の回路基板には、発光体が実装されていることを特徴とする請求項３に記載の天井扇風機。
【請求項５】
前記第２の回路基板には、赤外線信号を受ける受光素子が実装されていることを特徴とする請求項３に記載の天井扇風機。
【請求項６】
前記第２の回路基板には、報知音を発生するブザーが実装されていることを特徴とする請求項３に記載の天井扇風機。
【請求項７】
前記第２の向きへ向けられ、意匠が施された意匠シートを備え、
前記意匠シートと前記羽根とは、前記天井から同じ距離の位置に配置されることを特徴とする請求項１から６のいずれか１つに記載の天井扇風機。
【手続補正２】
【補正対象書類名】明細書
【補正対象項目名】０００６
【補正方法】変更
【補正の内容】
【０００６】
上述した課題を解決し、目的を達成するために、本発明にかかる天井扇風機は、天井から吊り下げられて設置される。本発明にかかる天井扇風機は、羽根と、軸を中心に回転可能な回転子を有するモータと、モータよりも、軸の方向のうち天井へ向かう向きである第１の向きとは逆の第２の向きの側に配置されており、回転子と羽根とを連結する連結部品と、モータへの電力供給を担う回路部品が実装された第１の回路基板とを備える。連結部品は、回転子に固定されている第１部位と、第１部位よりも軸に垂直な方向のうち軸から離れる向きの側において、第１部位よりも第２の向きの側に位置しており、羽根が固定されている第２部位と、第１部位と第２部位との間において軸の方向に立てられている第３部位とを有する。第１の回路基板は、第３部位により囲われた空間に配置されている。
【国際調査報告】
2019138482.tif 000006
2019138482.tif 000007